(57)【要約】  インバータ（１０）および電子レンジ（１００）であって、インバータ（１０）は、インバータスイッチングユニット（１１）と、昇圧トランス（１２）と、倍電圧整流ユニット（１３）と、を含み、インバータスイッチングユニット（１１）は、スイッチングトランジスタ（１１１）と、共振コンデンサ（１１２）と、共振インダクタ（１１３）と、を含み、共振コンデンサ（１１２）は、スイッチングトランジスタ（１１１）と共振インダクタ（１１３）との間に接続され、昇圧トランス（１２）は、一次巻線（１２１）と、二次巻線（１２２）と、を含み、一次巻線（１２１）の一端が共振インダクタ（１１３）を介して共振コンデンサ（１１２）の一端に接続され、一次巻線（１２１）の他端が共振コンデンサ（１１２）の他端とスイッチングトランジスタ（１１１）とに接続され、二次巻線（１２２）は、倍電圧整流ユニット（１３）に接続される。
2019531693.tif 000002
【特許請求の範囲】
【請求項１】
電子レンジに用いられるインバータであって、前記インバータは、
インバータスイッチングユニットと、昇圧トランスと、倍電圧整流ユニットと、を含み、
前記インバータスイッチングユニットは、スイッチングトランジスタと、共振コンデンサと、共振インダクタと、を含み、前記共振コンデンサは、スイッチングトランジスタと前記共振インダクタとの間に接続され、
前記昇圧トランスは、一次巻線と、二次巻線と、を含み、前記一次巻線の一端が前記共振インダクタを介して前記共振コンデンサの一端に接続され、前記一次巻線の他端が前記共振コンデンサの他端と前記スイッチングトランジスタとに接続され、
前記二次巻線は、前記倍電圧整流ユニットに接続される、
ことを特徴とするインバータ。
【請求項２】
前記昇圧トランスは、磁心アセンブリと、第１のボビンと、第２のボビンと、を含み、前記第１のボビンおよび前記第２のボビンは、中空であり、前記一次巻線は、前記第１のボビンに巻き取って設けられ、前記二次巻線は、前記第２のボビンに巻き取って設けられ、前記第２のボビンおよび前記二次巻線は、前記第１のボビン内に設けられ、前記磁心アセンブリは、第１の磁心と、第２の磁心と、を含み、前記第１の磁心は、第１の柱を含み、前記第２の磁心は、第２の柱を含み、前記第１の柱と前記第２の柱とは、前記第２のボビンに挿入しており、且つ間隔を置いて対向するように設けられる、
ことを特徴とする請求項１に記載のインバータ。
【請求項３】
前記第１のボビンは、２つの環状の第１の止め輪と、前記２つの第１の止め輪を接続する第１の枠体と、を含み、前記一次巻線は、前記第１の枠体に巻き取って設けられ、
前記第２のボビンは、２つの環状の第２の止め輪と、前記２つの第２の止め輪を接続する第２の枠体と、を含み、前記二次巻線は、前記第２の枠体に巻き取って設けられる、
ことを特徴とする請求項２に記載のインバータ。
【請求項４】
前記第１の枠体および前記第２の枠体は、いずれも中空の円柱状であり、前記第１のボビンと前記第２のボビンとが同心に設けられ、前記第１のボビンの長さと前記第２のボビンの長さとが等しい、
ことを特徴とする請求項３に記載のインバータ。
【請求項５】
前記第１の止め輪の周縁に第１の切り欠きが設けられ、前記第２の止め輪の周縁に第２の切り欠きが設けられ、前記一次巻線は、前記第１の切り欠きを貫通して設けられ、前記二次巻線は、前記第２の切り欠きを貫通して設けられる、
ことを特徴とする請求項３に記載のインバータ。
【請求項６】
前記第１の磁心は、Ｕ字型であり、前記第２の磁心は、Ｕ字型である、
ことを特徴とする請求項２に記載のインバータ。
【請求項７】
前記共振インダクタは、環状の磁心と、前記磁心に均一に巻き取って設けられる巻線と、を含み、前記巻線は、前記インバータの回路に接続される、
ことを特徴とする請求項１に記載のインバータ。
【請求項８】
前記インバータは、整流ユニットと、インバータ制御ユニットと、を含み、前記整流ユニットは、前記インバータスイッチングユニットに並列接続され、前記整流ユニットは、交流電力を直流電力に変換するためのものであり、前記インバータ制御ユニットは、前記インバータスイッチングユニットに並列接続されて、前記スイッチングトランジスタのオン・オフを制御する、
ことを特徴とする請求項１に記載のインバータ。
【請求項９】
前記整流ユニットは、交流電源に接続され、前記整流ユニットは、前記交流電源の交流電力を直流電力に変換する、
ことを特徴とする請求項８に記載のインバータ。
【請求項１０】
前記整流ユニットは、整流ブリッジを含む、
ことを特徴とする請求項９に記載のインバータ。
【請求項１１】
前記インバータは、前記整流ユニットおよび前記インバータ制御ユニットに接続されるフィルタリングユニットを含む、
ことを特徴とする請求項８に記載のインバータ。
【請求項１２】
前記フィルタリングユニットは、インダクタと、コンデンサと、を含み、前記インダクタは、前記コンデンサに並列接続される、
ことを特徴とする請求項１１に記載のインバータ。
【請求項１３】
マグネトロンと、請求項１〜１２のいずれかに記載のインバータと、を含み、前記倍電圧整流ユニットは、前記マグネトロンに接続される、
ことを特徴とする電子レンジ。
【発明の詳細な説明】
【技術分野】
【０００１】
［優先権情報］
本出願は、２０１６年１２月２９日に中国国家知識産権局に提出された、特許出願番号が第２０１６１１２４６７２２．０号である特許出願、および２０１６年１２月２９日に中国国家知識産権局に提出された、特許出願番号が２０１６２１４７０７０７．Ｘ号である特許出願の優先権および権益を主張し、参照によりその全文を本明細書に援用する。
本発明は、家電製品の技術分野に関し、特に、インバータおよび電子レンジに関する。
【背景技術】
【０００２】
関連技術において、電子レンジのインバータの昇圧トランスは、要求を満たす共振用の漏れインダクタンスを得るために、昇圧トランスの一次と二次巻線との磁気結合を低減しなければならない。このようにすることで、トランスのエネルギー伝達効率が低下するとともに、インバータの全体的な温度上昇が高めになり、これにより、インバータの作動の信頼性が低下し、インバータの使用寿命が影響される。
【発明の概要】
【発明が解決しようとする課題】
【０００３】
本発明は、関連技術における少なくとも１つの技術的課題をある程度解決することを目的とする。そのため、本発明は、インバータおよび電子レンジを提供する必要がある。
【課題を解決するための手段】
【０００４】
本発明の実施形態のインバータは、電子レンジに用いられ、前記インバータは、インバータスイッチングユニットと、昇圧トランスと、倍電圧整流ユニットと、を含み、前記インバータスイッチングユニットは、スイッチングトランジスタと、共振コンデンサと、共振インダクタと、を含み、前記共振コンデンサは、スイッチングトランジスタと前記共振インダクタとの間に接続され、前記昇圧トランスは、一次巻線と、二次巻線と、を含み、前記一次巻線の一端が前記共振インダクタを介して前記共振コンデンサの一端に接続され、前記一次巻線の他端が前記共振コンデンサの他端と前記スイッチングトランジスタとに接続され、前記二次巻線は、前記倍電圧整流ユニットに接続される。
【０００５】
本発明の実施形態のインバータにおいて、インバータスイッチングユニットを増やすことにより、共振インダクタを昇圧トランスとは別体に設けることができる。このように、共振インダクタは、一次巻線と二次巻線との磁気結合に影響せず、一次巻線と二次巻線との磁気結合能力を強化することにより、昇圧トランスのエネルギー伝達効率を向上させることができ、これにより、インバータの全体の効率が向上し、インバータの作動の信頼性が確保される。
【０００６】
一実施形態において、前記昇圧トランスは、磁心アセンブリと、第１のボビンと、第２のボビンと、を含み、前記第１のボビンおよび前記第２のボビンは、中空であり、前記一次巻線は、前記第１のボビンに巻き取って設けられ、前記二次巻線は、前記第２のボビンに巻き取って設けられ、前記第２のボビンおよび前記二次巻線は、前記第１のボビン内に設けられ、前記磁心アセンブリは、第１の磁心と、第２の磁心と、を含み、前記第１の磁心は、第１の柱を含み、前記第２の磁心は、第２の柱を含み、前記第１の柱と前記第２の柱とは、前記第２のボビンに挿入しており、且つ間隔を置いて対向するように設けられる。
【０００７】
一実施形態において、前記第１のボビンは、２つの環状の第１の止め輪と、前記２つの第１の止め輪を接続する第１の枠体と、を含み、前記一次巻線は、前記第１の枠体に巻き取って設けられ、前記第２のボビンは、２つの環状の第２の止め輪と、前記２つの第２の止め輪を接続する第２の枠体と、を含み、前記二次巻線は、前記第２の枠体に巻き取って設けられる。
【０００８】
一実施形態において、前記第１の枠体および前記第２の枠体は、いずれも中空の円柱状であり、前記第１のボビンと前記第２のボビンとが同心に設けられ、前記第１のボビンの長さと前記第２のボビンの長さとが等しい。
【０００９】
一実施形態において、前記第１の止め輪の周縁に第１の切り欠きが設けられ、前記第２の止め輪の周縁に第２の切り欠きが設けられ、前記一次巻線は、前記第１の切り欠きを貫通して設けられ、前記二次巻線は、前記第２の切り欠きを貫通して設けられる。
【００１０】
一実施形態において、前記第１の磁心は、Ｕ字型であり、前記第２の磁心は、Ｕ字型である。
【００１１】
一実施形態において、前記共振インダクタは、環状の磁心と、前記磁心に均一に巻き取って設けられる巻線と、を含み、前記巻線は、前記インバータの回路に接続される。
【００１２】
一実施形態において、前記インバータは、整流ユニットと、インバータ制御ユニットと、を含み、前記整流ユニットは、前記インバータスイッチングユニットに並列接続され、前記整流ユニットは、交流電力を直流電力に変換するためのものであり、前記インバータ制御ユニットは、前記インバータスイッチングユニットに並列接続されて、前記スイッチングトランジスタのオン・オフを制御する。
【００１３】
一実施形態において、前記整流ユニットは、交流電源に接続され、前記整流ユニットは、前記交流電源の交流電力を直流電力に変換する。
【００１４】
一実施形態において、前記整流ユニットは、整流ブリッジを含む。
【００１５】
一実施形態において、前記インバータは、前記整流ユニットおよび前記インバータ制御ユニットに接続されるフィルタリングユニットを含む。
【００１６】
一実施形態において、前記フィルタリングユニットは、インダクタと、コンデンサと、を含み、前記インダクタは、前記コンデンサに並列接続される。
【００１７】
本発明の実施形態の電子レンジは、マグネトロンと、上記いずれかの実施形態に記載のインバータと、を含み、前記倍電圧整流ユニットは、前記マグネトロンに接続される。
【００１８】
本発明の実施形態の電子レンジにおいて、インバータスイッチングユニットを増やすことにより、共振インダクタを昇圧トランスとは別体に設けることができる。このように、共振インダクタは、一次巻線と二次巻線との磁気結合に影響せず、一次巻線と二次巻線との磁気結合能力を強化することにより、昇圧トランスのエネルギー伝達効率を向上させることができ、これにより、インバータの全体の効率が向上し、インバータの作動の信頼性が確保される。
【発明の効果】
【００１９】
本発明の付加的な態様および利点は、一部が以下の説明において示され、一部が以下の説明により明らかになり、または本発明の実践により理解される。
【００２０】
本発明の上記および/または付加的な態様および利点は、実施例を図面を参照しながら以下に説明することにより、明らかになり、理解しやすくなる。ここで、
【図面の簡単な説明】
【００２１】
【図１】本発明の実施形態の電子レンジの概略回路図である。
【図２】本発明の実施形態の電子レンジのインバータの昇圧トランスの概略斜視図である。
【図３】本発明の実施形態の電子レンジのインバータの昇圧トランスの概略分解図である。
【図４】本発明の実施形態の電子レンジのインバータの昇圧トランスの第１のボビンおよび第２のボビンの概略斜視図である。
【図５】本発明の実施形態の電子レンジのインバータの共振インダクタの概略平面図である。
【発明を実施するための形態】
【００２２】
以下、本発明の実施例を詳細に説明する。前記実施例における例が図面に示され、同一または類似する符号は、一貫して同一または類似する部品、或いは、同一または類似する機能を有する部品を表す。以下に、図面を参照しながら説明される実施例は例示的なものであり、本発明を解釈することを旨とし、本発明を限定するものと理解してはいけない。
【００２３】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「反時計回り」などの用語が示す方位または位置関係は、図面に示す方位または位置関係に基づき、本発明を便利にまたは簡単に説明するためのものであり、指定された装置または部品が特定の方位にあり、特定の方位において構造され操作されると指示または暗示するものではないので、本発明を限定するものと理解してはいけない。なお、「第１」、「第２」の用語は、単に目的を説明するためのものであり、比較的な重要性を指示または暗示するか、或いは示された技術的特徴の数を黙示的に指示すると理解してはいけない。よって、「第１」、「第２」と限定されている特徴は少なくとも１つの前記特徴を含むことを明示または暗示するものである。本発明の説明において、明確且つ具体的な限定がない限り、「複数」とは、少なくとも２つを意味する。
【００２４】
なお、本発明において、明確な規定と限定がない限り、「取り付ける」、「互いに接続する」、「接続する」などの用語の意味は広義に理解されるべきである。例えば、固定接続や、着脱可能な接続や、或いは一体的な接続でも可能である。機械的な接続や、電気的な接続も可能である。直接的に接続することや、中間媒体を介して間接的に接続することや、２つの部品の内部が連通することや、あるいは２つの部品の間に相互の作用関係があることも可能である。当業者にとって、具体的な場合により上記用語の本発明においての具体的な意味を理解することができる。
【００２５】
図１〜図５を参照し、本発明の実施形態のインバータ１０は、電子レンジ１００に用いられ、インバータ１０は、インバータスイッチングユニット１１と、昇圧トランス１２と、倍電圧整流ユニット１３と、を含む。インバータスイッチングユニット１１は、スイッチングトランジスタ１１１と、共振コンデンサ１１２と、共振インダクタ１１３と、を含む。共振コンデンサ１１２は、スイッチングトランジスタ１１１と共振インダクタ１１３との間に接続される。昇圧トランス１２は、一次巻線１２１と、二次巻線１２２と、を含む。一次巻線１２１の一端が、共振インダクタ１１３を介して共振コンデンサ１１２の一端に接続され、一次巻線１２１の他端が、共振コンデンサ１１２の他端とスイッチングトランジスタ１１１とに接続される。二次巻線１２１は、倍電圧整流ユニット１３に接続される。
【００２６】
本発明の実施形態のインバータ１０において、インバータスイッチングユニット１１を増やすことにより、共振インダクタ１１２を昇圧トランス１２とは別体に設けることができる。このように、共振インダクタ１１２は、一次巻線１２１と二次巻線１２２との磁気結合に影響せず、一次巻線１２１と二次巻線１２２との磁気結合能力を強化することにより、昇圧トランス１２のエネルギー伝達効率を向上させることができ、これにより、インバータ１０の全体の効率が向上し、インバータ１０の作動の信頼性が確保される。
【００２７】
なお、共振インダクタ１１２が昇圧トランス１２とは別体に設けられるので、インバータ１０が作動するとき、漏れインダクタンスの値が過大になることによってインバータ１０の全体の温度上昇が高めになることはなく、インバータ１０の全体の温度上昇が低減され、インバータ１０の使用の安全性が確保される。当然なことながら、共振インダクタ１１２が昇圧トランス１２とは別体に設けられる方式は、共振インダクタ１１２と昇圧トランス１２との間の接続をある程度簡素化し、インバータ１０の製造コストをある程度低減することができる。
【００２８】
一実施形態において、昇圧トランス１２は、磁心アセンブリ１２３と、第１のボビン１２４と、第２のボビン１２５と、を含む。第１のボビン１２４および第２のボビン１２５は、中空である。一次巻線１２１は、第１のボビン１２４に巻き取って設けられる。二次巻線１２２は、第２のボビン１２５に巻き取って設けられる。第２のボビン１２５および二次巻線１２２は、第１のボビン１２４内に設けられる。磁心アセンブリ１２３は、第１の磁心１２３１と、第２の磁心１２３２と、を含む。第１の磁心１２３１は、第１の柱１２３３を含む。第２の磁心１２３２は、第２の柱１２３４を含む。第１の柱１２３３と第２の柱１２３４とは、第２のボビン１２５内に挿入しており、且つ間隔を置いて対向するように設けられる。
【００２９】
このようにすることで、一次巻線１２１と二次巻線１２２との磁気結合能力が強くなるとともに、第１のボビン１２４は、一次巻線１２１と二次巻線１２２とを隔てることができ、一次巻線１２１と二次巻線１２２との相互影響を効果的に回避することができ、同時に、第１の磁心１２３１と第２の磁心１２３２とを着脱可能に接続することができるので、磁心アセンブリ１２３の組み立ておよび取り外しが便利になる。
【００３０】
一実施形態において、第１のボビン１２４は、２つの環状の第１の止め輪１２４１と、２つの第１の止め輪１２４１を接続する第１の枠体１２４２と、を含む。一次巻線１２２は、第１の枠体１２４２に巻き取って設けられる。第２のボビン１２５は、２つの環状の第２の止め輪１２５１と、２つの第２の止め輪１２５１を接続さする第２の枠体１２５２と、を含む。二次巻線１２２は、第２の枠体１２５２に巻き取って設けられる。
【００３１】
このようにすることで、環状の止め輪は、巻線に対して一定の保護機能を有し、枠体は、巻線を保護および支持する作用を同時に有する。
【００３２】
一実施形態において、第１の枠体１２４２および第２の枠体１２５２は、いずれも中空の円柱状である。第１のボビン１２４と第２のボビン１２５とが同心に設けられる。第１のボビン１２４の長さと第２のボビン１２５の長さとが等しい。
【００３３】
このようにすることで、巻線は、対応する枠体に均一に巻設することができ、同時に、２つのボビンが同心に設けられることで、一次巻線１２１と二次巻線１２２とが強い磁気結合能力を有することを確保することができる。
【００３４】
一実施形態において、第１の止め輪１２４１の周縁に第１の切り欠き１２４３が設けられる。第２の止め輪１２５１の周縁に第２の切り欠き１２５３が設けられる。一次巻線１２１は、第１の切り欠き１２４３を貫通して設けられる。二次巻線１２１は、第２の切り欠き１２５３を貫通して設けられる。
【００３５】
このようにすることで、巻線は、切り欠きを貫通してインバータ１０の回路に接続することができる。
【００３６】
一実施形態において、第１の磁心１２３１は、Ｕ字型であり、第２の磁心１２３２は、Ｕ字型である。
【００３７】
このようにすることで、磁心の配置パラメータの一致性がよく、良好な放熱効果を奏する。
【００３８】
一実施形態において、共振インダクタ１１２は、環状の磁心１１４と、磁心１１４に均一に巻き取って設けられる巻線１１５と、を含む。巻線１１５は、インバータ１０の回路に接続される。
【００３９】
このようにすることで、共振インダクタ１１２の漂遊磁束が少なく、漂遊磁束による共振インダクタ１１２の周辺素子の正常な作動への邪魔はなく、同時に、共振インダクタ１１２のインダクタンス量が安定で、加工プロセスによる共振インダクタ１１２の量産品の一致性が悪くなる可能性が小さい。
【００４０】
一実施形態において、インバータ１０は、整流ユニット１４と、インバータ制御ユニット１５と、を含む。整流ユニット１４は、インバータスイッチングユニット１１に並列接続される。整流ユニット１４は、交流電力を直流電力に変換するためのものである。インバータ制御ユニット１５は、インバータスイッチングユニット１１に並列接続されて、スイッチングトランジスタ１１１のオン．オフを制御する。
【００４１】
このようにすることで、インバータ制御ユニット１５は、インバータスイッチングユニット１１の安定性を確保することができ、スイッチングトランジスタ１１１のスイッチング損失がゼロに近いことを効果的に確保することができる。
【００４２】
本発明の例において、整流ユニット１４は、交流電源１７に接続され、整流ユニット１４は、交流電源１７の交流電力を直流電力に変換する。一例において、整流ユニット１４は、整流ブリッジを含むことができる。
【００４３】
一実施形態において、インバータ１０は、フィルタリングユニット１６を含む。フィルタリングユニット１６は、整流ユニット１４および、インバータ制御ユニット１５に接続される。
【００４４】
このようにすることで、特定の帯域周波数の干渉を効果的に抑制および防止することができる。
【００４５】
具体的には、フィルタリングユニット１６は、インダクタ１６１と、コンデンサ１６２と、を含み、インダクタ１６１は、コンデンサ１６２に並列接続される。
【００４６】
本発明の実施形態の電子レンジ１００は、マグネトロン２０と、上記のいずれかの実施形態に記載のインバータ１０と、を含む。倍電圧整流ユニット１３は、マグネトロン２０に接続される。
【００４７】
本発明の実施形態の電子レンジ１００において、インバータスイッチングユニット１１を増やすことにより、共振インダクタ１１２を昇圧トランス１２とは別体に設けることができる。このようにすることで、共振インダクタ１１２は、一次巻線１２１と二次巻線１２２との磁気結合に影響せず、一次巻線１２１と二次巻線１２２との磁気結合能力を強化することにより、昇圧トランス１２のエネルギー伝達効率を向上させることができ、これにより、インバータ１０の全体的な効率が向上し、インバータ１０の作動信頼性が確保される。
【００４８】
本発明において、明確な規定と限定がない限り、第１特徴が第２特徴の「上」または「下」にあることは、第１特徴と第２特徴とが直接的に接触することを含んでも良いし、または第１特徴と第２特徴とが中間媒体を介して間接的に接触することを含んでもよい。また、第１特徴が第２特徴の「上」、「上方」または「以上」にあることは、第１特徴が第２特徴の真上または斜め上にあることを含むか、或いは、単に第１特徴の水平高さが第２特徴より高いことだけを表す。第１特徴が第２特徴の「下」、「下方」または「以下」にあることは、第１特徴が第２特徴の真下または斜め下にあることを含むか、或いは、単に第１特徴の水平高さが第２特徴より低いことだけを表す。
【００４９】
以下の開示は、本発明の異なる構造を実現するために、数多くの異なる実施形態または例を提供する。本発明の開示を簡素化するために、以下は、特定の例の部材および設置について説明する。当然のことながら、これらは、単なる例であり、本発明を制限することを目的としていない。また、本発明は、異なる例において参考番号および/または参考アルファベットが重複しており、このような重複は、簡素化および明確化を目的とし、それ自体は、検討される種々の実施形態および/または設置間の関係を示さない。また、本発明が種々の特定のプロセスおよび材料の例を提供したが、当業者は、他のプロセスの適用および/または他の材料の使用を意識することができる。
【００５０】
本発明の説明において、「一実施形態」、「一部の実施形態」、「例示的な実施形態」、「例」、「具体的な例」、或いは「一部の例」などの用語を参照した説明は、該実施形態或いは例に合わせて説明された具体的な特徴、構成、材料或いは特性が、本発明の少なくとも１つの実施形態或いは例に含まれることを意味する。本明細書において、上記用語に対する例示的な説明は、必ずしも同じ実施形態或いは例を指すことではない。また、説明された具体的な特徴、構成、材料或いは特性は、いずれか１つ或いは複数の実施形態または例において適切に結合することができる。
【００５１】
以上に、本発明の実施形態を示して説明したが、本発明の原理および要旨から離脱しない限り、これらの実施方式に対して、様々な変更、修正、取り替えおよび変形を行うことができ、本発明の範囲が請求項およびその均等物によって限定されることは、当業者が理解できる。
【符号の説明】
【００５２】
１００    電子レンジ
１０      インバータ
１１      インバータスイッチングユニット
１１１    スイッチングトランジスタ
１１２    共振コンデンサ
１１３    共振インダクタ
１１４    磁心
１１５    巻線
１２      昇圧トランス
１２１    一次巻線
１２２    二次巻線
１２３    磁心アセンブリ
１２３１  第１の磁心
１２３２  第２の磁心
１２３３  第１の柱
１２３４  第２の柱
１２４    第１のボビン
１２４１  第１の止め輪
１２４２  第１の枠体
１２４３  第１の切り欠き
１２５    第２のボビン
１２５１  第２の止め輪
１２５２  第２の枠体
１２５３  第２の切り欠き
１３      倍電圧整流ユニット
１４      整流ユニット
１５      インバータ制御ユニット
１６      フィルタリングユニット
１６１    インダクタ
１６２    コンデンサ
１７      交流電源
２０      マグネトロン
【図１】
2019531693.tif 000003
【図２】
2019531693.tif 000004
【図３】
2019531693.tif 000005
【図４】
2019531693.tif 000006
【図５】
2019531693.tif 000007
【国際調査報告】
2019531693.tif 000008
2019531693.tif 000009
2019531693.tif 000010
2019531693.tif 000011